【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
無線通信のための方法であって、
多数のグループのそれぞれが装置のただ１つのセット又は２つ以上のセットに対応するか否かを示すメッセージを送信することであって、ここで、装置の各セットは、同時の送信を受信するために構成される、送信することと、
前記ただ１つのセット又は２つ以上のセットの前記装置の１つのための空間ストリーム位置を送信することであって、ここで、前記空間ストリーム位置の１つは、装置の前記グループのそれぞれに関連する、送信することと、
前記ただ１つのセット又は２つ以上のセットの前記装置の前記１つのための前記空間ストリーム位置に基づいて装置の前記グループの１つのため前記同時の送信の少なくとも１つを送信することと、
を備える方法。
【請求項２】
前記メッセージは、無線ローカルエリアネットワーク（ＷＬＡＮ）のためビーコンフレームを備える、請求項１に記載の方法。
【請求項３】
前記空間ストリーム位置を送信することは、前記グループの前記１つを示すグループ識別子及び前記空間ストリーム位置を送信することを備え、ここで、前記グループ識別子は、ｙ個のビットを備え、前記メッセージは、前記多数のグループのそれぞれのための１つのビットと共に２ｙ個のビットを持つビットマップを備える、請求項１に記載の方法。
【請求項４】
前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、請求項３に記載の方法。
【請求項５】
前記ビットマップは、使用されない前記多数のグループのそれぞれのため０の値を持つ、請求項４に記載の方法。
【請求項６】
前記空間ストリーム位置を送信することは、前記グループの前記１つを示すグループ識別子及び前記空間ストリーム位置を送信することを備え、前記メッセージは、前記グループ識別子によって示される前記グループの前記１つが装置のただ１つのセットに対応することから装置の２つ以上のセットに対応することへ変わっていることを示す、請求項１に記載の方法。
【請求項７】
前記空間ストリーム位置を送信することは、前記グループの前記１つを示すグループ識別子及び前記装置の前記１つのための前記空間ストリーム位置を備えるフレームを送信することを備える、請求項１に記載の方法。
【請求項８】
前記フレームを送信することは、前記装置の前記１つと関連中に前記フレームを送信することを備える、請求項７に記載の方法。
【請求項９】
前記フレームを送信することは、前記グループ識別子によって示される前記グループの前記１つが装置の２つ以上のセットに対応することから装置のただ１つのセットに対応することへ変わることに応答して前記フレームを送信することを備える、請求項７に記載の方法。
【請求項１０】
前記フレームは、装置のただ１つのセットに対応し、前記ただ１つのセットに前記装置の前記１つを含む、前記多数のグループのメンバーのための一部を備え、ここで、前記一部は、前記メンバーのそれぞれのためのグループ情報を備え、ここで、前記グループ情報は、
前記メンバーの１つを示すグループ識別（ＩＤ）値と、
前記装置の前記１つのための空間ストリーム位置であって、ここで、前記空間ストリーム位置は前記グループＩＤ値に対応する、空間ストリーム位置と、を備える、請求項７に記載の方法。
【請求項１１】
前記フレームは、前記フレームの前記一部において前記メンバーの数を示すフィールドを備える、請求項１０に記載の方法。
【請求項１２】
前記フレームは、装置の２つ以上のセットに対応する前記グループの数を示すフィールドを備える、請求項７に記載の方法。
【請求項１３】
無線通信のための装置であって、
多数のグループのそれぞれが装置のただ１つのセット又は２つ以上のセットに対応するか否かを示すメッセージを送信するためであって、ここで、装置の各セットは、同時の送信を受信するために構成される、送信するためと、
前記ただ１つのセット又は２つ以上のセットの前記装置の１つのための空間ストリーム位置を送信するためであって、ここで、前記空間ストリーム位置の１つは、装置の前記グループのそれぞれに関連する、送信するためと、
前記ただ１つのセット又は２つ以上のセットの前記装置の前記１つのための前記空間ストリーム位置に基づいて装置の前記グループの１つのため前記同時の送信の少なくとも１つを送信するために、
構成される送信器
を備える装置。
【請求項１４】
前記メッセージは、無線ローカルエリアネットワーク（ＷＬＡＮ）のためビーコンフレームを備える、請求項１３に記載の装置。
【請求項１５】
前記送信器は、前記グループの前記１つを示すグループ識別子及び前記空間ストリーム位置を送信するために構成され、ここで、前記グループ識別子は、ｙ個のビットを備え、前記メッセージは、前記多数のグループのそれぞれのための１つのビットと共に２ｙ個のビットを持つビットマップを備える、請求項１３に記載の装置。
【請求項１６】
前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、請求項１５に記載の装置。
【請求項１７】
前記ビットマップは、使用されない前記多数のグループのそれぞれのため０の値を持つ、請求項１６に記載の装置。
【請求項１８】
前記送信器は、前記グループの前記１つを示すグループ識別子及び前記空間ストリーム位置を送信するために構成され、前記メッセージは、前記グループ識別子によって示される前記グループの前記１つが装置のただ１つのセットに対応することから装置の２つ以上のセットに対応することへ変わっていることを示す、請求項１３に記載の装置。
【請求項１９】
前記送信器は、
前記グループの前記１つを示すグループ識別子と、
前記装置の前記１つのための前記空間ストリーム位置と、
を備えるフレームを送信するために構成される、請求項１３に記載の装置。
【請求項２０】
前記送信器は、前記装置の前記１つに関連中に前記フレームを送信するように構成される、請求項１９に記載の装置。
【請求項２１】
前記送信器は、前記グループ識別子によって示される前記グループの前記１つが装置の２つ以上のセットに対応することから装置のただ１つのセットに対応することへ変わることに応答して前記フレームを送信するように構成される、請求項１９に記載の装置。
【請求項２２】
前記フレームは、装置のただ１つのセットに対応し、前記ただ１つのセットに前記装置の前記１つを含む、前記多数のグループのメンバーのための一部を備え、ここで、前記一部は、前記メンバーのそれぞれのためのグループ情報を備え、前記グループ情報は、
グループ識別（ＩＤ）値と、
前記装置の前記１つのための空間ストリーム位置であって、ここで、前記空間ストリーム位置は前記グループＩＤ値に対応する、空間ストリーム位置と、を備える、請求項１９に記載の装置。
【請求項２３】
前記フレームは、前記フレームの前記一部において前記メンバーの数を示すフィールドを備える、請求項２２に記載の装置。
【請求項２４】
前記フレームは、装置の２つ以上のセットに対応する前記グループの数を示すフィールドを備える、請求項１９に記載の装置。
【請求項２５】
無線通信のための装置であって、
多数のグループのそれぞれが装置のただ１つのセット又は２つ以上のセットに対応するか否かを示すメッセージを送信するための手段であって、ここで、装置の各セットは、同時の送信を受信するために構成される、手段と、
前記ただ１つのセット又は２つ以上のセットの前記装置の１つのための空間ストリーム位置を送信するための手段であって、ここで、前記空間ストリーム位置の１つは、装置の前記グループのそれぞれに関連する、手段と、
前記ただ１つのセット又は２つ以上のセットの前記装置の前記１つのための前記空間ストリーム位置に基づいて装置の前記グループの１つのため前記同時の送信の少なくとも１つを送信するための手段と、
を備える装置。
【請求項２６】
前記メッセージは、無線ローカルエリアネットワーク（ＷＬＡＮ）のためビーコンフレームを備える、請求項２５に記載の装置。
【請求項２７】
前記空間ストリーム位置を送信するための前記手段は、前記グループの前記１つを示すグループ識別子及び前記空間ストリーム位置を送信するために構成され、ここで、前記グループ識別子は、ｙ個のビットを備え、前記メッセージは、前記多数のグループのそれぞれのための１つのビットと共に２ｙ個のビットを持つビットマップを備える、請求項２５に記載の装置。
【請求項２８】
前記ビットマップは、装置の２つ以上のセットに対応する前記多数のグループのそれぞれのため１の値を持ち、前記ビットマップは、装置のただ１つのセットに対応する前記多数のグループのそれぞれのため０の値を持つ、請求項２７に記載の装置。
【請求項２９】
前記ビットマップは、使用されない前記多数のグループのそれぞれのため０の値を持つ、請求項２８に記載の装置。
【請求項３０】
前記空間ストリーム位置を送信するための前記手段は、前記グループの前記１つを示すグループ識別子及び前記空間ストリーム位置を送信するために構成され、前記メッセージは、前記グループ識別子によって示される前記グループの前記１つが装置のただ１つのセットに対応することから装置の２つ以上のセットに対応することへ変わっていることを示す、請求項２５に記載の装置。
【請求項３１】
前記空間ストリーム位置を送信するための前記手段は、前記グループの前記１つを示すグループ識別子及び前記装置の前記１つのための前記空間ストリーム位置を備えるフレームを送信するために構成される、請求項２５に記載の装置。
【請求項３２】
前記フレームを送信するための前記手段は、前記装置の前記１つに関連中に前記フレームを送信するように構成される、請求項３１に記載の装置。
【請求項３３】
前記フレームを送信するための前記手段は、前記グループ識別子によって示される前記グループの前記１つが装置の２つ以上のセットに対応することから装置のただ１つのセットに対応することへ変わることに応答して前記フレームを送信するために構成される、請求項３１に記載の装置。
【請求項３４】
前記フレームは、装置のただ１つのセットに対応し、前記ただ１つのセットに前記装置の前記１つを含む、前記多数のグループのメンバーのための一部を備え、前記一部は、前記メンバーのそれぞれのためのグループ情報を備え、前記グループ情報は、
前記メンバーの１つを示すグループ識別（ＩＤ）値と、
前記装置の前記１つのための空間ストリーム位置であって、ここで前記空間ストリーム位置は、前記グループＩＤ値に対応する、空間ストリーム位置と、を備える、請求項３１に記載の装置。
【請求項３５】
前記フレームは、前記フレームの前記一部において前記メンバーの数を示すフィールドを備える、請求項３４に記載の装置。
【請求項３６】
前記フレームは、装置の２つ以上のセットに対応する前記グループの数を示すフィールドを備える、請求項３１に記載の装置。
【請求項３７】
非一時的なコンピュータ可読媒体において、
多数のグループのそれぞれが装置のただ１つのセット又は２つ以上のセットに対応するか否かを示すメッセージを送信するためであって、ここで、装置の各セットは、同時の送信を受信するために構成される、送信するためと、
前記ただ１つのセット又は２つ以上のセットの前記装置の１つのための空間ストリーム位置を送信するためであって、ここで、前記空間ストリーム位置の１つは、装置の前記グループのそれぞれに関連する、送信するためと、
前記ただ１つのセット又は２つ以上のセットの前記装置の前記１つのための前記空間ストリーム位置に基づいて装置の前記グループの１つのため前記同時の送信の少なくとも１つを送信するために、
実行可能な命令を備える、コンピュータ可読媒体。
【請求項３８】
無線通信のためのアクセスポイントであって、
少なくとも１つのアンテナと、
多数のグループのそれぞれが装置のただ１つのセット又は２つ以上のセットに対応するか否かを示すメッセージを、前記少なくとも１つのアンテナを通じて、送信するためであって、ここで、装置の各セットは、同時の送信を受信するために構成される、送信するためと、
前記ただ１つのセット又は２つ以上のセットの前記装置の１つのための空間ストリーム位置を、前記少なくとも１つのアンテナを通じて、送信するためであって、ここで、前記空間ストリーム位置の１つは、装置の前記グループのそれぞれに関連する、送信するためと、
前記ただ１つのセット又は２つ以上のセットの前記装置の前記１つのための前記空間ストリーム位置に基づいて装置の前記グループの１つのため前記同時の送信の少なくとも１つを、前記少なくとも１つのアンテナを通じて、送信するために、
構成される送信器と、
を備えるアクセスポイント。
【請求項３９】
無線通信のための方法であって、
グループが装置のただ１つのセット又は２つ以上のセットに対応するか否かを示すメッセージを、装置で、受信することであって、ここで、装置の各セットは、同時の送信を受信するために構成される、受信することと、
グループ識別子と、前記グループ識別子によって示される前記グループにおける前記装置のための空間ストリーム位置とを、前記装置で、受信することと、
前記受信される同時の送信を分析するために前記空間ストリーム位置を使用することと、
を備える方法。
【請求項４０】
前記メッセージは、無線ローカルエリアネットワーク（ＷＬＡＮ）のためビーコンフレームを備える、請求項３９に記載の方法。
【請求項４１】
前記グループ識別子は、ｙ個のビットを備え、前記メッセージは、装置のただ１つのセット又は２つ以上のセットに対応する複数のグループのそれぞれのための１つのビットと共に２ｙ個のビットを持つビットマップを備える、請求項３９に記載の方法。
【請求項４２】
前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、請求項４１に記載の方法。
【請求項４３】
前記ビットマップは、使用されない前記複数のグループのそれぞれのため０の値を持つ、請求項４２に記載の方法。
【請求項４４】
前記メッセージは、前記グループ識別子によって示される前記グループが装置のただ１つのセットに対応することから装置の２つ以上のセットに対応することへ変わっていることを示す、請求項３９に記載の方法。
【請求項４５】
前記グループ識別子及び前記空間ストリーム位置を受信することは、前記グループ識別子及び前記装置のための空間ストリーム位置を備えるフレームを受信することを備え、ここで、１つの空間ストリーム位置は、前記グループ識別子によって示される前記グループを含む複数のグループのそれぞれにおけるものである、請求項３９に記載の方法。
【請求項４６】
前記フレームを受信することは、前記装置に関連中に前記フレームを受信することを備える、請求項４５に記載の方法。
【請求項４７】
前記フレームを受信することは、前記グループ識別子によって示される前記グループが装置の２つ以上のセットに対応することから装置のただ１つのセットに対応することへ変わることに応答して前記フレームを受信することを備える、請求項４５に記載の方法。
【請求項４８】
前記フレームは、装置のただ１つのセットに対応し、前記ただ１つのセットに前記装置を含む、前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、請求項４５に記載の方法。
【請求項４９】
前記フレームは、前記フレームの前記部分において前記メンバーの数を示すフィールドを備える、請求項４８に記載の方法。
【請求項５０】
前記フレームは、装置の２つ以上のセットに対応する前記グループの数を示すフィールドを備える、請求項４５に記載の方法。
【請求項５１】
無線通信のための装置であって、
グループが装置のただ１つのセット又は２つ以上のセットに対応するか否かを示すメッセージを受信するためであって、ここで、装置のセットは、同時の送信を受信するために構成される、受信するためと、
グループ識別子と、前記グループ識別子によって示される前記グループにおける前記装置のための空間ストリーム位置と、を受信するために、
構成される受信機と、
前記受信される同時の送信を分析するために前記空間ストリーム位置を使用するために構成される処理システムと
を備える装置。
【請求項５２】
前記メッセージは、無線ローカルエリアネットワーク（ＷＬＡＮ）のためビーコンフレームを備える、請求項５１に記載の装置。
【請求項５３】
前記グループ識別子は、ｙ個のビットを備え、前記メッセージは、装置のただ１つのセット又は２つ以上のセットに対応する複数のグループのそれぞれのための１つのビットと共に２ｙ個のビットを持つビットマップを備える、請求項５１に記載の装置。
【請求項５４】
前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、請求項５３に記載の装置。
【請求項５５】
前記ビットマップは、使用されない前記複数のグループのそれぞれのため０の値を持つ、請求項５４に記載の装置。
【請求項５６】
前記メッセージは、前記グループ識別子によって示される前記グループが装置のただ１つのセットに対応することから装置の２つ以上のセットに対応することへ変わっていることを示す、請求項５１に記載の装置。
【請求項５７】
前記受信機は、前記グループ識別子及び前記装置のための空間ストリーム位置を備えるフレームを受信するために構成され、ここで、１つの空間ストリーム位置は、前記グループ識別子によって示される前記グループを含む複数のグループのそれぞれにおけるものである、請求項５１に記載の装置。
【請求項５８】
前記受信機は、前記装置に関連中に前記フレームを受信するために構成される、請求項５７に記載の装置。
【請求項５９】
前記受信機は、前記グループ識別子によって示される前記グループが装置の２つ以上のセットに対応することから装置のただ１つのセットに対応することへ変わることに応答して前記フレームを受信するために構成される、請求項５７に記載の装置。
【請求項６０】
前記フレームは、装置のただ１つのセットに対応し、前記ただ１つのセットに前記装置を含む、前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、請求項５７に記載の装置。
【請求項６１】
前記フレームは、前記フレームの前記部分において前記メンバーの数を示すフィールドを備える、請求項６０に記載の装置。
【請求項６２】
前記フレームは、装置の２つ以上のセットに対応する前記グループの数を示すフィールドを備える、請求項５７に記載の装置。
【請求項６３】
無線通信のための装置であって、
グループが装置のただ１つのセット又は２つ以上のセットに対応するか否かを示すメッセージを受信するための手段であって、ここで、装置の各セットは、同時の送信を受信するために構成され、受信するための前記手段は、グループ識別子及び前記グループ識別子によって示される前記グループにおける前記装置のための空間ストリーム位置を受信するために構成される、手段と、
前記受信される同時の送信を分析するために前記空間ストリーム位置を使用するための手段と、
を備える装置。
【請求項６４】
前記メッセージは、無線ローカルエリアネットワーク（ＷＬＡＮ）のためビーコンフレームを備える、請求項６３に記載の装置。
【請求項６５】
前記グループ識別子は、ｙ個のビットを備え、前記メッセージは、装置のただ１つのセット又は２つ以上のセットに対応する複数のグループのそれぞれのための１つのビットと共に２ｙ個のビットを持つビットマップを備える、請求項６３に記載の装置。
【請求項６６】
前記ビットマップは、装置の２つ以上のセットに対応する前記複数のグループのそれぞれのため１の値を持ち、前記ビットマップは、装置のただ１つのセットに対応する前記複数のグループのそれぞれのため０の値を持つ、請求項６５に記載の装置。
【請求項６７】
前記ビットマップは、使用されない前記複数のグループのそれぞれのため０の値を持つ、請求項６６に記載の装置。
【請求項６８】
前記メッセージは、前記グループ識別子によって示される前記グループが装置のただ１つのセットに対応することから装置の２つ以上のセットに対応することへ変わっていることを示す、請求項６３に記載の装置。
【請求項６９】
前記グループ識別子及び前記空間ストリーム位置を受信するための前記手段は、前記グループ識別子及び前記装置のための空間ストリーム位置を備えるフレームを受信するために構成され、ここで、１つの空間ストリーム位置は、前記グループ識別子によって示される前記グループを含む複数のグループのそれぞれにおけるものである、請求項６３に記載の装置。
【請求項７０】
受信するための前記手段は、前記装置に関連中に前記フレームを受信するために構成される、請求項６９に記載の装置。
【請求項７１】
受信するための前記手段は、前記グループ識別子によって示される前記グループが装置の２つ以上のセットに対応することから装置のただ１つのセットに対応することへ変わることに応答して前記フレームを受信するために構成される、請求項６９に記載の装置。
【請求項７２】
前記フレームは、装置のただ１つのセットに対応し、前記ただ１つのセットに前記装置を含む、前記複数のグループのメンバーのための部分を備え、ここで、前記部分は、前記メンバーのそれぞれのためのグループ情報を備え、前記グループ情報は、
グループ識別（ＩＤ）値と、
前記装置のための空間ストリーム位置であって、ここで、前記空間ストリーム位置は、前記グループＩＤ値に対応する、空間ストリーム位置と、
を備える、請求項６９に記載の装置。
【請求項７３】
前記フレームは、前記フレームの前記部分において前記メンバーの数を示すフィールドを備える、請求項７２に記載の装置。
【請求項７４】
前記フレームは、装置の２つ以上のセットに対応する前記グループの数を示すフィールドを備える、請求項６９に記載の装置。
【請求項７５】
コンピュータ可読媒体であって、
グループが装置のただ１つのセット又は２つ以上のセットに対応するか否かを示すメッセージを、装置で、受信するためであって、ここで、装置の各セットは、同時の送信を受信するために構成される、受信するためと、
グループ識別子及び前記グループ識別子によって示される前記グループにおける前記装置のための空間ストリーム位置を、前記装置で、受信するためと、
前記受信される同時の送信を分析するために前記空間ストリーム位置を使用するために、
実行可能な命令を備える、コンピュータ可読媒体。
【請求項７６】
無線通信のための無線ノードであって、
少なくとも１つのアンテナと、
グループが無線ノードのただ１つのセット又は２つ以上のセットに対応するか否かを示すメッセージを、前記少なくとも１つのアンテナを通じて、前記無線ノードで、受信するためであって、ここで、無線ノードの各セットは、同時の送信を受信するために構成される、受信するためと、
グループ識別子及び前記グループ識別子によって示される前記グループにおける前記無線ノードのための空間ストリーム位置を受信するために、
構成される受信機と、
前記受信される同時の送信を分析するために前記空間ストリーム位置を使用するために構成される処理システムと、
を備える、無線通信のための無線ノード。